(57)【特許請求の範囲】
【請求項１】
複数のバンドを切り替えるための第一の電圧を発生する選局用のＰＬＬ回路を有するチュ−ナ部と、中間周波増幅回路を有した中間周波回路部とを備え、前記チュ−ナ部の利得が他のチャンネル受信時に比べて低くなる特定チャンネルの受信時に、前記特定チャンネルを選局するための選局デ−ダに基づいて前記ＰＬＬ回路から第二の電圧を発生させ、前記第二の電圧によって前記中間周波増幅回路の利得を高くしたことを特徴とするテレビチュ−ナ。
【請求項２】
前記中間周波増幅回路に増幅用のトランジスタを備え、前記第二の電圧をバイアス電圧として前記トランジスタのベースに印加して前記トランジスタの利得を高くしたことを特徴とする請求項１記載のテレビチューナ。
【請求項３】
請求項１又は２記載のテレビチュ−ナを備えたことを特徴とするテレビ受信機。
【発明の詳細な説明】
【０００１】
【発明の属する技術分野】
本発明は、受信チャンネルの違いによる利得の差をなくし、全受信チャンネルの利得を平準化するようにしたテレビチュ−ナ、及びそのテレビチュ−ナを備えたテレビ受信機に関する。
【０００２】
【従来の技術】
従来のテレビチュ−ナを図４に示すブロック構成図、及び図５に示す利得特性図を参照して説明する。
【０００３】
最近のテレビチュ−ナは、図４に示すように、受信したテレビ信号を中間周波数に周波数変換するのを主とするチュ−ナ部３１に、チュ−ナ部３１で周波数変換されたテレビ信号を所定の選択度特性を与えて増幅するとともにビディオ検波する中間周波部回路３２を合体させたユニットとしてテレビ受信機に組み込むようにしている。
【０００４】
チュ−ナ部３１は、ＶＨＦ部３３とＵＨＦ部３４を有し、ＶＨＦ部３３は高周波増幅回路３５と混合回路３６を有し、一方、ＵＨＦ部３４も高周波増幅回路３７と混合回路３８とを有している。また、チュ−ナ部３１は、ＶＨＦ部３３の混合回路３６で周波数変換されたテレビ信号とＵＨＦ部３４の混合回路３８で周波数変換されたテレビ信号とを増幅する中間周波増幅回路３９と、ＶＨＦ帯あるいはＵＨＦ帯のテレビチャンネルを選局する選局用のＰＬＬ回路４０とを備えている。さらに、チュ−ナ部３１は、図示はしないが、高周波増幅回路３５、３７の前後に同調回路を備え、混合回路３６、３８にそれぞれ接続された二つの局部発振回路を備えている。
【０００５】
ＰＬＬ回路４０は、図示しないテレビ受信機の選局手段からの選局デ−タＤＡ等を受けて、例えば、ＶＨＦのロ−バンドを選択するロ−バンド切り替え電圧Ｖｌｏ、ＶＨＦのハイバンドを選択するハイバンド切り替え電圧Ｖｈｉ、ＵＨＦバンドを選択するＵＨＦバンド切り替え電圧Ｖｕや、選局されたチャンネルに対応した同調電圧Ｖｔ等の制御電圧を出力し、これらの制御電圧をＶＨＦ部３３、ＵＨＦ部３４の図示しない同調回路等に供給している。また、図示しない局部発振回路から発振信号ＦｏをＰＬＬ回路４０に取り込んでいる。
【０００６】
一方、中間周波回路部３２は、前置増幅回路となる中間周波増幅回路４１、ＳＡＷフィルタ４２、ビディオ検波回路４３を備えており、中間周波増幅回路４１は、ベ−スに固定のバイアス電圧を印加したトランジスタ４４で構成され、チュ−ナ部２１の中間周波増幅回路３９の増幅度の不足を補っている。そして、中間周波増幅回路４１の出力をＳＡＷフィルタ４２によって中間周波帯の伝送に所定の選択度特性を与え、その後ビディオ検波回路４３で検波することによりビディオ信号Ｖと音声信号Ｓとを得るようにしている。なお、ビディオ検波回路４３からは図示しないＡＧＣ回路を介して高周波増幅回路３５、３７にＡＧＣ電圧を供給してその増幅度を変え、受信したテレビ信号の強弱にかかわらず、ビディオ検波回路４３に入力される中間周波帯のテレビ信号を一定レベルにしている。
【０００７】
以上のように、従来のテレビチュ−ナでは、混合回路３６、３８で中間周波数に周波数変換されたＶＨＦ帯のテレビ信号とＵＨＦ帯のテレビ信号とは、共通の中間周波増幅回路３９、４１、ＳＡＷフィルタ４２、を介してビディオ検波回路４３で検波されるようになっている。従って、中間周波回路部３２の利得は受信チャンネルの如何にかかわらず一定であるが、チュ−ナ部３１の利得は受信チャンネル、あるいは受信バンドの違いによって差が生じてくる。
【０００８】
【発明が解決しようとする課題】
しかし、上記の従来のテレビチュ−ナでは、特定のチャンネル、例えば、図５に示すようにＵＨＦバンドの中間に位置するチャンネルＷで利得が低下した場合、利得の高いはチャンネル、例えば、ＶＨＦのロ−バンドの高域のチャンネルと、利得の低いチャンネル、例えば、ＵＨＦバンドのチャンネルＷとの間に大きな利得偏差Ｇが生じる。そのため、テレビ信号が弱電界となる地域では、利得の低いチャンネルＷではＳ／Ｎが劣化し、画像品質が劣化することになる。
【０００９】
また、利得偏差Ｇが大きなテレビチュ−ナでは、ＡＧＣ動作をする高周波増幅回路３５、３７のダイナミックレンジを大きくしなければならず、その設計が困難となっていた。
そこで、本発明は、簡単な構成でこのような問題を解決し、特定のチャンネルで利得が低下してもＳ／Ｎの劣化を少なくし、また、高周波増幅回路３５、３７のダイナミックレンジを大きくしないでも済むようにすることを目的とする。
【００１０】
【課題を解決するための手段】
上記課題を解決するため、本発明のテレビチューナは、複数のバンドを切り替えるための第一の電圧を発生する選局用のＰＬＬ回路を有するチュ−ナ部と、中間周波増幅回路を有した中間周波回路部とを備え、前記チュ−ナ部の利得が他のチャンネル受信時に比べて低くなる特定チャンネルの受信時に、前記特定チャンネルを選局するための選局デ−ダに基づいて前記ＰＬＬ回路から第二の電圧を発生させ、前記第二の電圧によって前記中間周波増幅回路の利得を高くした。
【００１１】
また、本発明のテレビチューナは、前記中間周波増幅回路に増幅用のトランジスタを備え、前記第二の電圧をバイアス電圧として前記トランジスタのベースに印加して前記トランジスタの利得を高くした。
【００１２】
また、本発明のテレビ受信機は、請求項１又は２記載のテレビチュ−ナを備えた。
【００１４】
【発明の実施の形態】
本発明の実施の形態を図１乃至図３を参照して説明する。ここで、図１は、本発明のテレビチュ−ナのブロック構成図、図２は本発明のテレビチュ−ナに供給される選局デ−タのフォ−マット、図３は本発明のテレビチュ−ナの利得特性図である。
【００１５】
テレビチュ−ナは、受信したテレビ信号を中間周波数に周波数変換するのを主とするチュ−ナ部１に、このチュ−ナ部１で周波数変換されたテレビ信号を所定の選択度特性を与えて増幅するとともにビディオ検波する中間周波回路部２を合体させていわゆるチュ−ナユニットとしてテレビ受信機に組み込まれる。
【００１６】
チュ−ナ部１は、ＶＨＦ部３とＵＨＦ部４を有し、ＶＨＦ部３は、アンテナ同調回路５、高周波増幅回路６、段間同調回路７、混合回路８、局部発振回路９を備えている。また、ＵＨＦ部４も同様に、アンテナ同調回路１０、高周波増幅回路１１、段間同調回路１２、混合回路１３、局部発振回路１４を備えている。チュ−ナ部１は、さらに、ＶＨＦ部３の混合回路８で周波数変換されたテレビ信号とＵＨＦ部４の混合回路１３で周波数変換されたテレビ信号とを所定の選択度で伝送する中間周波同調回路１５と、このテレビ信号を増幅する中間周波増幅回路１６と、ＶＨＦ帯あるいはＵＨＦ帯のテレビチャンネルを選局する選局用のＰＬＬ回路１７とを備えている。
【００１７】
中間周波回路部２は、前置増幅回路となる中間周波増幅回路２１、ＳＡＷフィルタ２２、ビディオ検波回路２３を備えて、中間周波増幅回路２１の出力をＳＡＷフィルタ２２によって中間周波帯の伝送に所定の選択度特性を与え、その後ビディオ検波回路２３で検波することによりビディオ信号Ｖと音声信号Ｓとを得るようにしている。なお、ビディオ検波回路２４からは図示しないＡＧＣ回路を介して高周波増幅回路５、１０にＡＧＣ電圧を供給してその増幅度を変え、受信したテレビ信号の強弱にかかわらず、ビディオ検波回路２３に入力される中間周波帯のテレビ信号を一定レベルにしている。そして、上記の中間周波増幅回路２１は、増幅用のトランジスタ２４を有し、そのベ−スに抵抗２５を介して外部からベ−スバイアス電圧が印加されるようになっている。
【００１８】
一方、ＰＬＬ回路１７は、局部発振回路９、１４から局部発振信号Ｆｏを取り込むとともに、図示しないテレビ受信機の選局手段から、クロック信号ＣＬ、イネ−ブル信号ＥＮとともに選局デ−タＤＡを受けて、ＶＨＦ部３又はＵＨＦ部４が選局すべきチャンネルのテレビ信号を受信できるように、選局されたチャンネルの属するバンドを選択するバンド切り替え電圧や、選局されたチャンネルに対応した同調電圧等の制御電圧を出力し、これらの制御電圧をＶＨＦ部３、ＵＨＦ部４に供給している。
【００１９】
そして、ＰＬＬ回路１７は、ＩＣ化された一般的なものでは、４つのバンドを切り替えできるように、バンド切り替え電圧を出力するバンド切り替え電圧端子を４個備えているが、通常のテレビチュ−ナでは、全受信帯域を、ＶＨＦ帯のロ−バンド、ＶＨＦ帯のハイバンド、ＵＨＦバンドの３バンドに分割して選局するようにしているので、４個のバンド切り替え電圧端子のうち３個のバンド切り替え電圧端子を使用している。
【００２０】
即ち、ＶＨＦ帯のロ−バンドを選択する場合はロ−バンド切り替え電圧Ｖｌｏ、ＶＨＦ帯のハイバンドを選択する場合はハイバンド切り替え電圧Ｖｈｉ、ＵＨＦ帯を選択する場合はＵＨＦバンド切り替え電圧Ｖｕバンド切り替え電圧等のバンド切り替え電圧（第一の電圧）を各バンド切り替え電圧端子Ｔｖｌ、ＴＶｈ、Ｔｕからそれぞれ出力し、このうち、ＶＨＦロ−バンド切り替え電圧Ｖｌｏ、とＶＨＦハイバンド切り替え電圧Ｖｈｉは、ＶＨＦ部３のアンテナ同調回路５、段間同調回路７、局部発振回路９に供給し、ＵＨＦバンド切り替え電圧ＶｕはＵＨＦ部４に供給する。また、同調電圧端子から各バンドにおけるチャンネルに対応した同調電圧ＶｔをＶＨＦ部３、ＵＨＦ部４のそれぞれのアンテナ同調回路５、１０、段間同調回路７、１２、局部発振回路９、１４に供給するようにしている。従って、１個のバンド切り替え電圧端子Ｔｅは空き端子としている。
【００２１】
ところで、ＰＬＬ回路１７に入力される選局デ−タＤＡは、図２に示すように、例えば、４ビットのバンドデ−タＢＤと１５ビットのチャンネルデ−タＣＤとを含み、シリアルに送られてくる。そして、バンドデ−タＢＤが、”１、０、０、０”の場合はバンド切り替え電圧端子Ｔｖｌに、バンドデ−タＢＤが、”０、１、０、０”の場合はバンド切り替え電圧端子Ｔｖｈに、バンドデ−タＢＤが、”０、０、１、０”の場合はバンド切り替え電圧端子Ｔｕにそれぞれバンド切り替え電圧を出力するようになっている。
【００２２】
さらにまた、各バンドデ−タの最後のデ−タ値（４ビット目のデ−タ値）が、”１”の場合にはその後に続くチャンネルデ−タＣＤで指定されたチャンネルのときに、残りのバンド切り替え電圧端子Ｔｅである空き端子にも各バンド切り替え電圧端子Ｔｖｌ、Ｔｖｈ、Ｔｕに現れるバンド切り替え電圧と同じ値の電圧（第二の電圧）が現れるようになっている。例えば、バンドデ−タＢＤが、”１、０、０、１”のときはバンド切り替え電圧端子ＴｖｌとＴｅにそれぞれ第一の電圧と第二の電圧が現れることになる。
【００２３】
そこで、本発明では、ＰＬＬ回路１７の四つのバンド切り替え電圧端子ＴＶｌ、Ｔｖｈ、Ｔｕ、Ｔｅのうち、空き端子となるバンド切り替え電圧端子Ｔｅを、抵抗２５を介して中間周波増幅回路２１のトランジスタ２４のベ−スに接続しておき、例えば、ＵＨＦバンドのチャンネルＷでチュ−ナ部１の利得が低下する場合は、テレビ受信機からの選局デ−タＤＡを、ＵＨＦバンドのチャンネルＷを受信するときに、”０、０、１、１”のバンドデ−タＢＤとその後に続くチャンネルＷのチャンネルデ−タＣＤとの組み合わせたものとすることによってＰＬＬ回路１７のバンド切り替え電圧端子Ｔｕ、Ｔｅにそれぞれだいいちと第二の電圧が発生する。即ち、ＵＨＦバンドでは、全部のチャンネルでバンド切り替え電圧端子Ｔｕにバンド切り替えようの第一の電圧が発生するとともに、ＵＨＦバンドの中で、チャンネルＷを選局選局するときのみバンド切り替え端子Ｔｅに第二の電圧が発生する。
【００２４】
従って、チャンネルＷのときにはＰＬＬ回路１７のバンド切り替え電圧端子のうちの空き端子となるバンド切り替え電圧端子Ｔｅからの電圧が抵抗２５を介して中間周波回路部２に設けられた中間周波増幅回路２１のトランジスタ２４のベ−スに加えられ、その電圧が高くなり、この中間周波増幅回路２１の利得が高くなる。従って、チャンネルＷに関して、チュ−ナ部１と中間周波回路不２の中間周波増幅回路２１とを合わせた総合的な利得は、図３の点線部Ａに示すように高くすることができ、チュ−ナ部１の利得の低下を補償することが可能となる。その結果、チュ−ナ部１の利得の低下によるＳ／Ｎの劣化も少なく、また、全受信チャンネルにおける利得の偏差Ｇａは少なくなり、利得制御される高周波増幅回路５、１０の設計も容易となる。
【００２５】
なお、以上の説明では、利得の低下するチャンネルがＵＨＦバンドのチャンネルＷのみを対象としたが、複数のチャンネルを対象としてチュ−ナ部１の利得を補償することも可能である。この場合は所望のチャンネルに対応するチャンネルデ−タＣＤをＰＬＬ回路１７に入力すればよい。同様に、他のバンドの他のチャンネルにおいても、利得の補償が可能である。
【００２６】
そして、本発明では、チュ−ナ部１の利得の低い特定のチャンネル受信時に周波数変換した後の中間周波増幅回路２１で利得を高くしたので中間周波帯の選択度特性を変化させることなく全チャンネルの利得を平準化できる。また、中間周波増幅回路２１のトランジスタ２４のベ−スバイアス電圧の変更のみで簡単に利得を高められる。また、ＰＬＬ回路１７のバンド切り替え電圧を使用するだけで簡単に中間周波増幅回路２１の利得を高くすることが可能である。さらに、ＰＬＬ回路１７に特定のチャンネルデ−タを入力するだけで利得を高められる。
【００２７】
【発明の効果】
以上のように、本発明のテレビチュ−ナにおいては、複数のバンドを切り替えるための第一の電圧を発生する選局用のＰＬＬ回路を有するチュ−ナ部と、中間周波増幅回路を有した中間周波回路部とを備え、チュ−ナ部の利得が他のチャンネル受信時に比べて低くなる特定チャンネルの受信時に、特定チャンネルを選局するための選局デ−ダに基づいてＰＬＬ回路から第二の電圧を発生させ、第二の電圧によって中間周波増幅回路の利得を高くしたので、特定チャンネルの利得の低下によるＳ／Ｎの劣化も少なく、また、全受信チャンネルにおける利得の偏差は少なくなり、利得制御される高周波増幅回路の設計も容易となる。
【００２８】
また、本発明のテレビチューナは、中間周波増幅回路に増幅用のトランジスタを備え、第二の電圧をバイアス電圧としてこのトランジスタのベースに印加してトランジスタの利得を高くしたので、中間周波増幅回路を変更することなく簡単に利得を高くできる。
【００２９】
また、本発明のテレビ受信機は、上記のテレビチューナを備えることで、選局デ−タの入力だけで特定チャンネルの利得低下を改善できる。
【図面の簡単な説明】
【図１】本発明のテレビチュ−ナのブロック構成図である。
【図２】本発明のテレビチュ−ナに供給される選局デ−タのフォ−マットである。
【図３】本発明のテレビチュ−ナの利得の特性図である。
【図４】従来のテレビチュ−ナのブロック構成図である。
【図５】従来のテレビチュ−ナの利得の特性図である。
【符号の説明】
１  チュ−ナ部
２  中間周波回路部
３  ＶＨＦ部
４  ＵＨＦ部
５．１０  アンテナ同調回路
６．１１  高周波増幅回路
７．１２  段間同調回路
８．１３  混合回路
９．１４  局部発振回路
１５  中間周波同調回路
１６．２１  中間周波増幅回路
１７  ＰＬＬ回路
２２  ＳＡＷフィルタ
２３  ビディオ検波回路
２４  抵抗
２５  トランジスタ
【図１】
0003570844.tif 000002
【図２】
0003570844.tif 000003
【図３】
0003570844.tif 000004
【図４】
0003570844.tif 000005
【図５】
0003570844.tif 000006